【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
フラップを有する封筒が積載される積載部と、
前記積載部に積載された封筒を搬送する搬送部と、
前記搬送部によって搬送された封筒に画像を形成する画像形成部と、
前記積載部に設けられた、封筒の搬送方向と直交する幅方向において該封筒を規制する第１および第２のガイド部材と、
前記第１のガイド部材の位置を検知する検知部と、
情報を表示する表示部と、
前記封筒の向きと、前記封筒の種類と、前記封筒のフラップの長さと、をユーザに指定させる画面を前記表示部に表示させる制御手段と、を有し、
前記制御手段は、ユーザにより指定された前記封筒の種類と向きとに基づいて、前記封筒のフラップ以外の部分である本体部分の前記幅方向の長さを決定し、さらに、前記検知部から出力される検知情報に基づいて、前記第１のガイド部材と前記第２のガイド部材の間の距離であるガイド幅を決定し、
前記制御手段は、
前記封筒の向きとして第１の向きが指定された場合は、前記本体部分の前記幅方向の長さ及び前記フラップの長さの合計値と、前記ガイド幅とに基づいて警告表示を前記表示部に行わせ、
前記封筒の向きとして第２の向きが指定された場合は、前記本体部分の前記幅方向の長さと前記ガイド幅とに基づいて前記警告表示を前記表示部に行わせることを特徴とする印刷装置。
【請求項２】
前記第１の向きは、前記封筒のフラップ部分と前記封筒の本体部分とが前記幅方向に並んだ向きであり、
前記第２の向きは、前記封筒のフラップ部分と前記封筒の本体部分とが前記搬送方向に並んだ向きであることを特徴とする請求項１に記載の印刷装置。
【請求項３】
前記封筒は前記フラップが開いた状態で前記積載部に積載されることを特徴とする請求項１又は２に記載の印刷装置。
【請求項４】
前記制御手段は、前記封筒の向きとして前記第１の向きが指定された場合、前記封筒の本体部分の前記幅方向の長さ及び前記フラップの長さの合計値と、前記ガイド幅との差分が所定値を超えていなければ、ユーザにより指定された前記封筒の種類とフラップの長さを確定させることを特徴とする請求項１乃至３のいずれか１項に記載の印刷装置。
【請求項５】
前記制御手段は、前記封筒の向きとして前記第１の向きが指定された場合、前記封筒の本体部分の前記幅方向の長さ及び前記フラップの長さの合計値と、前記ガイド幅との差分が前記所定値を超えていれば前記警告表示を前記表示部に行わせることを特徴とする請求項４に記載の印刷装置。
【請求項６】
前記制御手段は、前記封筒の向きとして前記第２の向きが指定された場合、前記封筒の本体部分の前記幅方向の長さと、前記ガイド幅との差分が前記所定値を超えていなければ、ユーザにより指定された前記封筒の種類とフラップの長さを確定させることを特徴とする請求項５に記載の印刷装置。
【請求項７】
前記制御手段は、前記封筒の向きとして前記第２の向きが指定された場合、前記封筒の本体部分の前記幅方向の長さと、前記ガイド幅との差分が前記所定値を超えていれば、前記警告表示を前記表示部に行わせることを特徴とする請求項１乃至６のいずれか１項に記載の印刷装置。
【請求項８】
前記制御手段は、前記積載部に積載される封筒の種類の候補を前記表示部に表示させ、表示された前記候補の中からユーザに所望の種類を選択させることを特徴とする請求項１乃至７のいずれか１項に記載の印刷装置。
【請求項９】
前記フラップの長さはテンキーを介して入力されることを特徴とする請求項１乃至８のいずれか１項に記載の印刷装置。
【請求項１０】
前記封筒の種類と前記封筒のフラップの長さの指定は、前記積載部に該封筒が積載される前に指定されることを特徴とする請求項１乃至８のいずれか１項に記載の印刷装置。
【請求項１１】
前記制御手段は、前記指定された封筒のフラップ部分の長さに基づいて、該封筒に形成される画像の位置をシフトするように前記画像形成部を制御することを特徴とする請求項１乃至１０のいずれか１項に記載の印刷装置。
【請求項１２】
前記表示部に表示される前記警告表示は、前記第１の規制部材と前記第２の規制部材を位置を調整することをユーザに促すメッセージであることを特徴とする請求項１乃至１０のいずれか１項に記載の印刷装置。
【請求項１３】
前記表示部に表示される前記警告表示は、前記積載部に正しいサイズの封筒を積載することをユーザに促すメッセージであることを特徴とする請求項１乃至１２のいずれか１項に記載の印刷装置。
【請求項１４】
前記表示部に表示される前記警告表示は、封筒のサイズとガイド部材の幅が一致しないことを示すメッセージであることを特徴とする請求項１乃至１３のいずれか１項に記載の印刷装置。
【請求項１５】
前記積載部は手差しトレイであることを特徴とする請求項１乃至１４のいずれか１項に記載の印刷装置。
【請求項１６】
前記第２の規制部材は前記第１の規制部材に連増して移動することを特徴とする請求項１乃至１５のいずれか１項に記載の印刷装置。
【請求項１７】
フラップを有する封筒が積載される積載部と、
前記積載部に積載された封筒を搬送する搬送部と、
前記搬送部によって搬送された封筒に画像を形成する画像形成部と、
前記積載部上に設けられた、封筒の搬送方向と直交する幅方向に該封筒を規制する第１および第２のガイド部材と、
前記第１のガイド部材の位置を検知する検知部と、を有する印刷装置の制御方法であって、
前記封筒の向きと、前記封筒の種類と、前記封筒のフラップの長さと、をユーザに指定させるための画面を表示する表示工程と、
指定された前記封筒の種類と向きとに基づいて、前記封筒のフラップ以外の部分である本体部分の前記幅方向の長さを決定する第１の決定工程と、
前記検知部から出力される検知情報に基づいて、前記第１のガイド部材と前記第２のガイド部材との間の距離であるガイド幅を決定する第２の決定工程と
前記封筒の向きとして第１の向きが指定された場合、前記本体部分の前記幅方向の長さ及び前記フラップの長さの合計値と、前記ガイド幅とに基づいて警告表示を行う第１の警告表示工程と、
前記封筒の向きとして第２の向きが指定された場合、前記本体部分の前記幅方向の長さと前記ガイド幅とに基づいて前記警告表示を行う第２の警告表示工程と、
を有することを特徴とする制御方法。
【請求項１８】
請求項１７に記載された印刷装置の制御方法を、コンピュータに実行させるためのプログラム。
【手続補正２】
【補正対象書類名】明細書
【補正対象項目名】０００８
【補正方法】変更
【補正の内容】
【０００８】
上記目的を達成するために、本発明の印刷装置は、フラップを有する封筒が積載される積載部と、前記積載部に積載された封筒を搬送する搬送部と、前記搬送部によって搬送された封筒に画像を形成する画像形成部と、前記積載部に設けられた、封筒の搬送方向と直交する幅方向において該封筒を規制する第１および第２のガイド部材と、前記第１のガイド部材の位置を検知する検知部と、情報を表示する表示部と、前記封筒の向きと、前記封筒の種類と、前記封筒のフラップの長さと、をユーザに指定させる画面を前記表示部に表示させる制御手段と、を有し、前記制御手段は、ユーザにより指定された前記封筒の種類と向きとに基づいて、前記封筒のフラップ以外の部分である本体部分の前記幅方向の長さを決定し、さらに、前記検知部から出力される検知情報に基づいて、前記第１のガイド部材と前記第２のガイド部材の間の距離であるガイド幅を決定し、前記制御手段は、前記封筒の向きとして第１の向きが指定された場合は、前記本体部分の前記幅方向の長さ及び前記フラップの長さの合計値と、前記ガイド幅とに基づいて警告表示を前記表示部に行わせ、前記封筒の向きとして第２の向きが指定された場合は、前記本体部分の前記幅方向の長さと前記ガイド幅とに基づいて前記警告表示を前記表示部に行わせることを特徴とする。
【手続補正３】
【補正対象書類名】明細書
【補正対象項目名】発明の名称
【補正方法】変更
【補正の内容】
【発明の名称】印刷装置、印刷装置の制御方法、及びプログラム